(57)【要約】【課題】ハードディスクの固定保持に歪を生じさせないようにして高容量，高密度のハードディスクに対して安全にかつ確実に保持できるハードディスクの固定装置を提供する。【解決手段】ハードディスクドライブＨＤのスピンドルモータ１等に用いられるハードディスクの固定装置であって、ハブ本体２にはハードディスクを載置する段差３ａを有する座部３を設け、前記段差３ａの高さｈを座部３に載置されるハードディスクＨＤの厚さより小さくし、かつ段差３ａに続く環状の平面部を形成すると共に、前記ハードディスクＨＤの内周部を直接または環状の湾曲板７を介して押圧する弾性体リング６を重ね、この弾性体リング６を直接またはリング状の当板１１を介して緊締具８によりハブ本体２と着脱可能に締付して成ることを特徴とするハードディスクの固定装置。【選択図】        図１
2006040429.tif 000002
【特許請求の範囲】
【請求項１】
ハードディスクドライブのスピンドルモータ等に用いられるハードディスクの固定装置であって、ハブ本体にはハードディスクを載置する段差を有する座部を設け、前記段差の高さを座部に載置されるハードディスクの厚さより小さくし、かつ段差に続く環状の平面部を形成すると共に、前記ハードディスクの内周部を直接または環状の湾曲板を介して押圧する弾性体リングを重ね、この弾性体リングを直接またはリング状の当板を介して緊締具によりハブ本体と着脱可能に締付して成ることを特徴とするハードディスクの固定装置。
【請求項２】
弾性体リングは外周に比し、内周を下側に向う傾斜状として成ることを特徴とする請求項１記載のハードディスクの固定装置。
【請求項３】
弾性体リングは、その内周の複数箇所に緊締具が挿通する切欠係止溝を設けて成ることを特徴とする請求項１または２記載のハードディスク固定装置。
【発明の詳細な説明】
【技術分野】
【０００１】
本発明は、高容量，高密度のハードディスクに好適なハードディスクの固定装置に関する。
【背景技術】
【０００２】
従来、この種のハードディスクの固定装置としては、ハードディスクを支持するハブ本体に、リング状スペーサを用いて押え、これをビスでネジ止め固定する方法を用いたものが知られている（例えば、特許文献１参照。）。
【特許文献１】特開２００２−３１３００２号公報
【発明の開示】
【発明が解決しようとする課題】
【０００３】
この種の固定装置は、単にビスを用いてハードディスクの内周面の載置箇所を押下して固定しているのみであるので、嵌合状態が均等でなく、衝撃に対してガタ付きを吸収することができないという問題があった。
【０００４】
本発明は、叙上の点に着目して成されたもので、ハードディスクの固定保持に歪を生じさせないようにして高容量，高密度のハードディスクに対して安全にかつ確実に保持できるハードディスクの固定装置を提供することを目的とする。
【課題を解決するための手段】
【０００５】
本発明は、上記課題を解決するために以下の構成とした。
【０００６】
（１）ハードディスクドライブのスピンドルモータ等に用いられるハードディスクの固定装置であって、ハブ本体にはハードディスクを載置する段差を有する座部を設け、前記段差の高さを座部に載置されるハードディスクの厚さより小さくし、かつ段差に続く環状の平面部を形成すると共に、前記ハードディスクの内周部を直接または環状の湾曲板を介して押圧する弾性体リングを重ね、この弾性体リングを直接またはリング状の当板を介して緊締具によりハブ本体と着脱可能に締付して成ることを特徴とするハードディスクの固定装置。
【０００７】
（２）弾性体リングは外周に比し、内周を下側に向う傾斜状として成ることを特徴とする前記（１）記載のハードディスクの固定装置。
【０００８】
（３）弾性体リングは、その内周の複数箇所に緊締具が挿通する切欠係止溝を設けて成ることを特徴とする前記（１）または（２）記載のハードディスク固定装置。
【発明の効果】
【０００９】
本発明によれば、ハードディスクの座部で載置される箇所は、ハードディスクの厚さより小さい高さの段差を経て、環状の平面部と続いているので、ハードディスクを押下する弾性体リングの作用力はハードディスクに対して垂直方向は勿論のこと、水平方向に働くので、ガタ付きや歪みが防止でき、高容量，高密度のハードディスクの固定を安定して確実に保持できる。またビスなどの緊締具を用いているが、ネジなどの螺合箇所はハブ本体との間であり、かつ弾性体リングで被覆された下部のハブ本体と螺合させており、弾性体リングとの関係ではネジなどの螺合構造は有しないので、従来のような金属の微細な切り粉などの発生はきわめて少なく、ハードディスクに対しての影響も実用上の不都合は生じない。
【発明を実施するための最良の形態】
【００１０】
以下に、本発明の実施例を説明する。
【実施例１】
【００１１】
図１は本発明のハードディスクの固定装置の一例を示す断面説明図である。
【００１２】
図２は図１の弾性体リングの平面図であり、切欠係止溝上の円模様は緊締具である。
【００１３】
図３は同じく図１の環状の湾曲板の平面図である。
【００１４】
図４は図１の要部構成を示す拡大部分断面説明図である。
【００１５】
図面について説明すれば、１は各種スピンドルモータ（ＳＰＭ）のスピンドル（中心軸）、２はこのスピンドル１に挿通したハブ本体を示し、ハードディスクＨＤを着脱自在に係止できる。なお、スピンドルモータ１は固定した構造を示しているが、回転する形式にも適用できる。
【００１６】
３は、ハードディスクＨＤの内周部を載置支持できる座部であり、高さｈの段差３ａを有し、スピンドル１の中心側に向う平面部４を有する。そして前記座部３の段差３ａの高さｈは、ハードディスクＨＤの厚さＨより小さくしてある。５はこの平面部４から上方に向うハブ本体２の立上り部である。
【００１７】
６は弾性体リングであり、アウトガス対策用のテフロン(登録商標)系ゴムを用いてアウトガスの発生を防ぐ構造としてある。
【００１８】
ハードディスクＨＤが座部３に載置されると、段差３ａの高さｈよりハードディスクＨＤの厚さＨの方が大であるので、ハードディスクＨＤの表面は平面部４の上方に臨まれると共に、ハードディスクＨＤの内周縁に形成される略４５°に傾斜したカット面Ｃが座部３の段差３ａ上に位置する。
【００１９】
７は前記弾性体リング６の下側に配設される環状の湾曲板を示し、図５に示すように弾性体リング６で押下されると、この湾曲板７の側面がハードディスクＨＤのカット面Ｃに押圧力として働き、その作用力Ｔは、軸方向の垂直方向およびハードディスク方向の水平方向の分力Ｐ，Ｑとなって働くこととなり、ハードディスクＨＤの確実な保持を可能とし、歪みなどの発生は全く生じない。
【００２０】
８はビスなどの緊締具を示し、前記弾性体リング６および湾曲板７の内周複数箇所に等間隔に穿った切欠係止溝９に沿って、ハブ本体２の螺孔１０と螺合緊締させることにより、前記弾性体リング６を下向きに押圧して弾性体リング６より湾曲板７を介してハードディスクＨＤの内周面を押圧固定できるものである。
【実施例２】
【００２１】
図５に本発明の実施例２を示してある。
【００２２】
この実施例は、実施例１における環状の湾曲板を省略し、弾性体リング６を内周側を下側に屈曲させた弾性体リング６ａを用いると共に、ビスの緊締具８を弾性体リング６に直接用いることを避け、環状の当板１１を使用した点で相異するのみで、他の作用効果は実施例１と同一であるので、同一の構成は同一の符号を付し説明の省略は省く。
【００２３】
以上、本発明について実施例を説明したが、ハードディスクを固定するＨＤＤは、図示したスピンドルが固定した構成に限るものではなく、スピンドルが回転する形式のものは勿論のこと、ロータがステータに対してインナーのみならず、アウターの構成を含むことは勿論である。
【００２４】
また、本発明について二実施例を記述したが、スピンドルモータやステッピングモータを含めて軸受モータなどハードディスク駆動手段に適用できるものであって、駆動手段には何等限定されるものではない。
【図面の簡単な説明】
【００２５】
【図１】本発明のハードディスクの固定装置の一例を示す断面説明図である。
【図２】図１の弾性体リングの平面図である。
【図３】同じく図１の環状の湾曲板の平面図である。
【図４】図１の要部構成を示す拡大部分断面説明図である。
【図５】他の実施例を示す縦断面説明図である。
【符号の説明】
【００２６】
１  スピンドル（中心軸）
２  ハブ本体
３  高さｈの段差３ａを有する座部
４  平面部
５  立上り部
６，６ａ  弾性体リング
７  環状の湾曲板
８  ビスなどの緊締具
１０  螺孔
１１  当板
【図１】
2006040429.tif 000003
【図２】
2006040429.tif 000004
【図３】
2006040429.tif 000005
【図４】
2006040429.tif 000006
【図５】
2006040429.tif 000007